(57)【要約】【課題】収容されているつけまつげをユーザが容易かつ迅速に視認でき、かつつけまつげ同士が絡まり合うことを防止できる器具を提供する。【解決手段】つけまつげ収容器具は、つけまつげを乗せる面を有する基部（１０）と、基部の上面に起立する複数の柱状部（２０）とを有する。複数の柱状部は、第１の組みと、前記第１の組みに対して、つけまつげを収容可能な間隔を有するように配置された第２の組みを形成するように前記基部の上面に配置されている。【選択図】図１
0003167442.tif 000002
【実用新案登録請求の範囲】
【請求項１】
つけまつげを乗せる面を有する基部（１０）と、
前記基部の前記面に設けられた複数の柱状部（２０）と
を有するつけまつげ収容器具であって、
前記複数の柱状部は、第１の組みの柱状部（２０＿１）と、前記第１の組みに対して、つけまつげを収容可能な間隔を有するように配置された第２の組みの柱状部（２０＿２）と
を有することを特徴とするつけまつげ収容器具。
【請求項２】
前記複数の柱状部（２０）は、前記基部（１０）の前記面に行列状に配置されていることを特徴とする、請求項１に記載のつけまつげ収容器具。
【請求項３】
前記第１の組み及び前記第２の組みの柱状部は、前記基部（１０）の前記面にともに弧状に配列されていることを特徴とする、請求項１に記載のつけまつげ収容器具。
【請求項４】
前記複数の柱状部（２０）は、直線上に並べられた複数本を一組とし、互いに他の組みと平行になるように配置された複数組の柱状部からなる第３の柱状部（２０＿３）と、
前記第３の柱状部（２０＿３）の隣接する２つの組みの柱状部の両端外側で、前記２つの組みの柱状部の中間に配置された第４の柱状部（２０＿４）と
を有することを特徴とする、請求項１に記載のつけまつげ収容器具。
【考案の詳細な説明】
【技術分野】
【０００１】
本考案はつけまつげ収容器具に関する。
【背景技術】
【０００２】
従来、メイク用につけまつげが広く使用されるようになっており、ユーザは使用前のつけまつげ、及び使用後の再装着に備えて保管しておく必要があった。保管方法としては、包装シートに挟んだり、箱状のケース内にそのまま収容したりするのが一般的な方法であった。
【先行技術文献】
【特許文献】
【０００３】
【特許文献１】特開２００８−２９６００４号公開公報
【考案の概要】
【考案が解決しようとする課題】
【０００４】
しかし従来の包装シートで挟む方法では、シート内に挟まれたつけまつげを一見して視認することができず、ユーザが迅速につけまつげの選択をすることを妨げてしまうという問題があった。また、挟むことにより弧状にカーブしている形状であった状態が保てなくなるという問題があった。また、箱状のケースの中に単に保管する場合には、ケースが揺れたり傾いたりした場合に、つけまつげ同士が重なり合い、絡まり合って、容易に分離して取り出しができないという状態が発生する問題点があった。
【０００５】
本考案の目的は、収容されているつけまつげをユーザが容易かつ迅速に視認でき、かつつけまつげ同士が絡まり合うことを防止できる収容器具を提供することにある。
【課題を解決するための手段】
【０００６】
上記課題を解決する手段として、本考案は以下の特徴を有している。  
【０００７】
本考案は、つけまつげ収容器具として提案される。このつけまつげ収容器具は、つけまつげを乗せる面を有する基部（１０）と、基部の上面に起立する複数の柱状部（２０）とを有する。複数の柱状部は、第１の組みと、前記第１の組みに対して、つけまつげを収容可能な間隔を有するように配置された第２の組みを形成するように前記基部の上面に配置されている。
【考案の効果】
【０００８】
本考案によれば、つけまつげの形状を変形させることなく収容するとともに、収容されているつけまつげをユーザが容易かつ迅速に視認でき、且つ、つけまつげ同士が絡まり合うことを防止できる。
【図面の簡単な説明】
【０００９】
【図１】本考案の一実施形態にかかるつけまつげ収容器具の斜視図
【図２】つけまつげを収容した状態となったつけまつげ収容器具の斜視図
【図３】蓋を閉じた状態のつけまつげ収容器具の断面図
【図４】（ａ）は本考案の別の実施形態にかかるつけまつげ収容器具を真上から見下ろした図、（ｂ）は（ａ）のつけまつげ収容器具の斜視図
【図５】第２の実施の形態にかかる、つけまつげ収容器具の断面図
【図６】蓋を開いた状態で上から見下ろしたつけまつげ収容器具の図
【図７】蓋を開いた状態で上から見下ろした状態の、第３の形態にかかるつけまつげ収容器具の図
【図８】蓋を閉じた状態の第３の形態にかかるつけまつげ収容器具の側面図
【図９】蓋を開いた状態の第３の形態にかかるつけまつげ収容器具の断面図
【考案を実施するための形態】
【００１０】
以下、図面を参照しながら本考案の実施の形態について説明する。  
［第１の実施の形態］
図1に、本考案の第１の実施形態にかかるつけまつげ収容器具の斜視図を示す。つけまつげ収容器具１は、板状や台状の基部１０と、基部１０上面の面に対して略垂直方向に延伸するように設けられた複数本の柱状部２０と、前記柱状部２０が設けられた基部１０を収容するケース１１とから構成されている。
【００１１】
複数の柱状部２０は、つけまつげのカーブに合うように弧状に配列された第１の組みの柱状部２０＿１と、この第１の組みの柱状部２０＿１に対して間隔５０をあけて同様に弧状に配列された第２の組みの柱状部２０＿２を含む。なお、本明細書中「弧状」とは、必ずしも滑らかな曲線でなくともよく、複数の直線部分を組み合わせて、全体として弧のようになっている配列を含む。
【００１２】
本実施の形態では、複数本の柱状部２０は、つけまつげのカーブに合うように弧状に配列された柱状部２０が、複数組互いに間隔５０を有するように隣接して繰り返し配置されている。図１中に示した第２の組みの柱状部２０＿２の上方には、つけまつげのカーブに合うように弧状に配列された柱状部２０の別の組が繰り返し配列され、複数のつけまつげを収容できるようになっている。
【００１３】
第１及び第２の組みの柱状部２０の間隔５０は、つけまつげを収容できるスペースが確保できる程度の長さでよく、通常は３乃至７ｍｍである。また、同一の組みの隣接する２本の柱状部２０の間隔６０は、つけまつげが間隔６０を抜けて容易に移動できない程度に近づいている程度でよく、通常は３乃至６ｍｍである。
【００１４】
基部１０は、その上面につけまつげを乗せる機能を有する。基部１０は、どのような形状でもかまわない。正方形、長方形、円盤状、楕円形、その他どのような形状であってもよい。また、基部１０の上面は必ずしも平面でなくともかまわない。つけまつげを収容できる浅いくぼみ、もしくは、つけまつげを納めるための、帯状の浅い谷間が形成されるような上面であってもかまわない。
【００１５】
柱状部２０は、基部１０上面上に置かれたつけまつげが、基部１０上面上を滑り動くことを規制する機能を有する。また、つけまつげを支えながら起立させた状態で収容し、平面上にそのまま置く場合に比べてつけまつげの形状をゆがめずに収容する機能を有する。柱状部２０の断面形状は円形、楕円形、三角形、方形、その他の多角形やその他の形状であってかまわない。また、柱状部２０の全体形状は、収容容器１からつけまつげを取り上げること考えると、まっすぐな棒状であることが好ましいが、緩やかな弓状や波状や、その他の形状であってもかまわない。
【００１６】
柱状部２０は、基部１０上面に容易に外れないように取り付けられている。取り付け方法としては、例えば、基部１０上面上に柱状部２０の根元部分を収容する穴を形成しておき、柱状部２０の根元部をその穴に収容し、接着材等の適宜な固定法に柱状部２０は、基部１０上面に各柱状部２０を固定するようにしてよい。或いは、基部１０と柱状部２０は一体成型により形成されるようにしてもよい。
【００１７】
柱状部２０の長さは、つけまつげを収容した状態においてつけまつげの先端が柱状部２０の先端より突出しているようになる長さが好ましい。通常は４乃至１０ｍｍである。
なお、本実施の形態では、柱状部２０は、基部１０上面に対して略垂直になるように設けられているものとして説明したが、本考案がかかる構成に限定される趣旨ではない。柱状部２０は、行方向及び／又は列方向、或いは任意の方向に傾いているように設けられていても、本考案の範囲に含まれる。
【００１８】
ケース１１は、基部１０を収容するスペースを有する、箱状のケース本体１１＿１と、ケース本体１１＿１の側面に設けられたヒンジ１１＿２に取り付けられた蓋１１＿３とを有している。蓋１１＿３は、ヒンジ１１＿２を軸として回動可能にケース本体１１＿１に取り付けられており、ケース１１は開閉自在である。
【００１９】
図２は、図１に示したつけまつげ収容器具１につけまつげが置かれた状態を示す。また、図３は、図２の状態のつけまつげ収容器具１を矢印Ｘ方向から見た断面図である。
図２、図３に示すように、つけまつげ３０は、つけまつげ収容器具１の対向する２組の柱状部２０（より詳しくは第１の組みの柱状部２０＿１及び第２の組みの柱状部２０＿２）の間に置かれる。図２では、２つのつけまつげ３０を図示したが、いずれの隣接する２組の柱状部２０の間にもつけまつげ３０を収容できるので、ひとつのつけまつげ収容器具１に複数のつけまつげを収容することも可能である。
【００２０】
つけまつげ３０は、列方向（図１，２中の上下方向）の揺れや傾き、行方向（図１，２中の左右方向）の揺れや傾きに対しては、つけまつげを挟んでいる２組の柱状部２０によって動きが規制されるため、大きく滑って動くことはなく、互いに絡まり合うことが防止されている。
【００２１】
このように、本実施の形態にかかるつけまつげ収容器具１によって収容されたつけまつげは、つけまつげ収容器具１内で、基部１上面上を滑って移動することはなく、他のつけまつげと絡まったりすることなく保管できる。
【００２２】
なお、つけまつげ収容器具１からつけまつげ３０を取り出すには、つけまつげ先端が柱状部２０の先端より高く出ているように、柱状部２０の長さ（高さ）が設計されているため、つけまつげ先端を指やピンセットなどの器具でつまみあげて取り出すことができる。
【００２３】
[第１の実施の形態の変形例]
図１から図３に示した実施の形態では、柱状部２０は、第1の組みの柱状部２０＿１、及び第２の組みの柱状部２０＿２がそれぞれ弧状に並ぶように配置された例を示したが、柱状部２０は、必ずしも弧状に並ぶように配置されなくともよい。
【００２４】
図４（ａ）、図４（ｂ）は、柱状部２０が行列状に配置されたつけまつげ収容器具１の一変形例を示した斜視図である。この例では、柱状部２０は行方向（図中、左右方向）、列方向（図中、上下方向）ともに直線に配置されている。本変形例においても、隣接する柱状部２０の間につけまつげを置くことにより、つけまつげ収容器具１としての機能を発揮できる。
【００２５】
[第２の実施の形態]
つぎに、本考案の第２の実施の形態を説明する。図５は、第２の実施の形態にかかる、つけまつげ収容器具５０の断面図、図６は、蓋を開いた状態で上から見下ろしたつけまつげ収容器具５０の図である。第２の実施の形態にかかるつけまつげ収容器具５０は、基本的に第１の実施の形態にかかるつけまつげ収容器具１と同様の構成を有している。すなわち、基部１０と、基部１０に設けられた柱状部２０と、基部１０を収容するケース５１とを有している。第２の実施の形態の特徴は、柱状部２０の配置にある。第２の実施の形態では、直線上に並べられた複数本(この例では３本）を一組とし、互いに他の組みとほぼ平行になるように配置された複数組の柱状部からなる第３の柱状部２０＿３と、第３の柱状部２０＿３の隣接する２つの組みの柱状部の両端外側で、２つの組みの柱状部の中間に配置された第４の柱状部２０＿４とを有している。この第３の柱状部の隣接する２つの組の一方と、その両端にある第４の柱状部２０＿４で、第１の実施の形態における弧状に配置された柱状部２０と同様の機能を果たすことができる。なお、図６では、図示の都合上、一部の柱状部２０（２０＿３，２０＿４含む）にのみ、参照符号を付した。
【００２６】
かかる柱状部２０の配置構成によれば、隣接する２つの組みの任意の一方に接するようにつけまつげを置くことにより、図６にしめすように、ユーザの好きな方向につけまつげ３０＿１、３０＿２を収容しておくことが可能となる。
【００２７】
［第３の実施の形態］
つぎに、本考案の第３の実施の形態について説明する。図７に、蓋を開いた状態で上から見下ろした状態の、第３の形態にかかるつけまつげ収容器具の図を掲げ、図８に蓋を閉じた状態の第３の形態にかかるつけまつげ収容器具の側面図、図９に蓋を開いた状態の、第３の形態にかかるつけまつげ収容器具の断面図を示す。以下、図７から図９を参照しながら第３の形態にかかるつけまつげ収容器具を説明する。
【００２８】
第３の形態にかかるつけまつげ収容器具７０は、基部１０と、基部１０上面の面に対して略垂直方向に延伸するように設けられた複数本の柱状部２０と、前記柱状部２０が設けられた基部１０を収容するケースとから構成されている。ケースは、箱状のケース本体７２と、ケース本体７２の側面に設けられたヒンジ７５に取り付けられた蓋７１とを有している。蓋７１は、ヒンジ７５を軸として回動可能にケース本体７２に取り付けられており、ケース１１は開閉自在である。
【００２９】
ケース本体７２の内部はＴ字状に配置された仕切り板７３、７４によって３つの領域に分割されており、２つの部分には基部１０が納められている。残りの一つは、つけまつげの接着剤チューブなどの用具７６を格納するためのスペースとして使用される。
本実施の形態では、柱状部２０は全て同じ長さではなく、ヒンジ７５から遠ざかっていくにつれて短くなるようにそれぞれの柱状部２０の長さが規定されている。
【００３０】
[その他]
本考案は、柱状部２０が基部１０上面に対して略垂直になるように設けられることに限定されない。柱状部２０は傾くように基部１０上面に設けられる態様も本考案の技術的範囲に含まれる。
【００３１】
基部１０、柱状部２０は通常使用条件下(温度、湿度等)で変形しないような素材であればどのような素材により形成されてもよい。一般的にはプラスチック、金属、木、セラミックス、陶器などである。
【符号の説明】
【００３２】
１、５０、７０…つけまつげ収容器具；  １０…基部；  ２０…柱状部；３０…つけまつげ
【図１】
0003167442.tif 000003
【図２】
0003167442.tif 000004
【図３】
0003167442.tif 000005
【図４】
0003167442.tif 000006
【図５】
0003167442.tif 000007
【図６】
0003167442.tif 000008
【図７】
0003167442.tif 000009
【図８】
0003167442.tif 000010
【図９】
0003167442.tif 000011